【手続補正書】
【提出日】平成23年1月17日(2011.1.17)
【手続補正１】
【補正対象書類名】特許請求の範囲
【補正対象項目名】全文
【補正方法】変更
【補正の内容】
【特許請求の範囲】
【請求項１】
電気外科手術手技の際、組織の変化を監視および／または制御するシステムであって、
電気外科手術用発電機に接続するように適合される電気外科手術用装置であって、その間に組織を把持し、そこを通して光を透過させるように構成される一対の顎部材を含む、電気外科手術用装置と、
光学系であって、
光を発生するように構成される、少なくとも１つの光源と、
前記組織を透過する光の第１の部分を分析するように構成され、前記組織から反射される光の第２の部分を分析するように構成される、少なくとも１つの光検出器と、
を含む、光学系と、
前記光学系および前記電気外科手術用発電機に動作可能に連結されるプロセッサであって、前記光学系によって提供される情報に基づいて、前記電気外科手術用発電機から組織への電気外科手術用エネルギーの送達を制御するように構成される、プロセッサと
を備える、システム。
【請求項２】
前記光学系は、前記電気外科手術手技の際、リアルタイムで前記電気外科手術用発電機を制御するように構成される、請求項１に記載のシステム。
【請求項３】
前記光学系は、組織の熱損傷および組織の水和のうちの少なくともの１つを検出し、前記プロセッサを介して、前記電気外科手術用発電機と協働し、前記組織への前記電気外科手術用エネルギーの送達を制御するように構成される、請求項１に記載のシステム。
【請求項４】
前記光学系は、連続波デバイスを含む、請求項１に記載のシステム。
【請求項５】
前記光学系は、スーパールミネセント発光ダイオードアレイを含む、請求項１に記載のシステム。
【請求項６】
前記光学系は、白熱灯を含む、請求項１に記載のシステム。
【請求項７】
前記光学系は、前記電気外科手術用装置を通して配置される少なくとも１つの光ファイバに動作可能に連結する、請求項１に記載のシステム。
【請求項８】
前記光学系は、そこを通して光を透過させるための少なくとも１つのレンズを含む、請求項１に記載のシステム。
【請求項９】
前記光学系は、光送達システムおよび光収集システムを含み、前記光送達システムの少なくとも一部および前記光収集システムの少なくとも一部は、前記電気外科手術用装置内に配置される、請求項１に記載のシステム。
【請求項１０】
前記顎部材ののうちの少なくとも１つの少なくとも一部は、半透明である、請求項１に記載のシステム。
【請求項１１】
前記少なくとも１つの光検出器は、ファブリー・ペロ干渉計である、請求項１に記載のシステム。
【請求項１２】
前記少なくとも１つの光検出器は、分散型分光計である、請求項１に記載のシステム。
【請求項１３】
前記光学系は、
組織を透過する前記光の前記第１の部分を分析するように構成される第１の光検出器と、
前記組織から反射する前記光の前記第２の部分を分析するように構成される第２の光検出器と
を含む、請求項１に記載のシステム。
【請求項１４】
光は、約１．２μｍ〜約１．６μｍの波長帯で前記光源から発生する、請求項１に記載のシステム。
【請求項１５】
光は、１．４５μｍの波長帯で前記光源から発生する、請求項１に記載のシステム。
【手続補正２】
【補正対象書類名】明細書
【補正対象項目名】００２１
【補正方法】変更
【補正の内容】
【００２１】
一実施形態では、光透過信号の強度が所定の検出限界を上回ると、プロセッサは、電気外科手術手技が完了するまで、組織を通して透過する光透過信号に基づいて、電気外科手術用エネルギーの送達の制御を再開する。
例えば、本発明は以下の項目を提供する。
（項目１）
電気外科手術手技の際、組織の変化を監視および／または制御するシステムであって、
電気外科手術用発電機に接続するように適合される電気外科手術用装置であって、その間に組織を把持し、そこを通して光を透過させるように構成される一対の顎部材を含む、電気外科手術用装置と、
光学系であって、
光を発生するように構成される、少なくとも１つの光源と、
上記組織を透過する光の第１の部分を分析するように構成され、上記組織から反射される光の第２の部分を分析するように構成される、少なくとも１つの光検出器と、
を含む、光学系と、
上記光学系および上記電気外科手術用発電機に動作可能に連結されるプロセッサであって、上記光学系によって提供される情報に基づいて、上記電気外科手術用発電機から組織への電気外科手術用エネルギーの送達を制御するように構成される、プロセッサと
を備える、システム。
（項目２）
上記光学系は、上記電気外科手術手技の際、リアルタイムで上記電気外科手術用発電機を制御するように構成される、項目１に記載のシステム。
（項目３）
上記光学系は、組織の熱損傷および組織の水和のうちの少なくともの１つを検出し、上記プロセッサを介して、上記電気外科手術用発電機と協働し、上記組織への上記電気外科手術用エネルギーの送達を制御するように構成される、項目１に記載のシステム。
（項目４）
上記光学系は、連続波デバイスを含む、項目１に記載のシステム。
（項目５）
上記光学系は、スーパールミネセント発光ダイオードアレイを含む、項目１に記載のシステム。
（項目６）
上記光学系は、白熱灯を含む、項目１に記載のシステム。
（項目７）
上記光学系は、上記電気外科手術用装置を通して配置される少なくとも１つの光ファイバに動作可能に連結する、項目１に記載のシステム。
（項目８）
上記光学系は、そこを通して光を透過させるための少なくとも１つのレンズを含む、項目１に記載のシステム。
（項目９）
上記光学系は、光送達システムおよび光収集システムを含み、上記光送達システムの少なくとも一部および上記光収集システムの少なくとも一部は、上記電気外科手術用装置内に配置される、項目１に記載のシステム。
（項目１０）
上記顎部材ののうちの少なくとも１つの少なくとも一部は、半透明である、項目１に記載のシステム。
（項目１１）
上記少なくとも１つの光検出器は、ファブリー・ペロ干渉計である、項目１に記載のシステム。
（項目１２）
上記少なくとも１つの光検出器は、分散型分光計である、項目１に記載のシステム。
（項目１３）
上記光学系は、
組織を透過する上記光の上記第１の部分を分析するように構成される第１の光検出器と、
上記組織から反射する上記光の上記第２の部分を分析するように構成される第２の光検出器と
を含む、項目１に記載のシステム。
（項目１４）
光は、約１．２μｍ乃至約１．６μｍの波長帯で上記光源から発生する、項目１に記載のシステム。
（項目１５）
光は、１．４５μｍの波長帯で上記光源から発生する、項目１に記載のシステム。
（項目１６）
電気外科手術手技の際、組織への電気外科手術用エネルギーの送達を監視および／または制御する方法であって、
その間の組織を把持し、そこを通して光を透過させるように構成される一対の顎部材を含む、電気外科手術用装置を提供するステップと、
電気外科手術用発電機から、顎部材間に保持される組織を通して、電気外科手術用エネルギーを指向するステップと、
少なくとも１つの波長の光を組織内に指向するステップと、
組織を通して透過される光の第１の部分のスペクトル成分を分析しそれに関する情報をプロセッサに提供するステップと、
上記組織から反射される光の第２の部分のスペクトル成分を分析しそれに関する情報をプロセッサに提供するステップと、
上記プロセッサに提供される情報に基づいて、上記電気外科手術用発電機から組織への電気外科手術用エネルギーの送達を制御するステップと
を包含する、方法。
（項目１７）
光検出器が、上記光の第１および第２の部分のスペクトル成分を分析するために用いられる、項目１６に記載の方法。
（項目１８）
電気エネルギーの送達を制御するステップは、ＲＦエネルギー送達を減少、増加、停止するステップのうちの少なくとも１つを含む、項目１６に記載の方法。
（項目１９）
電気外科手術手技の際、組織への電気外科手術用エネルギーの送達を監視および／または制御する方法であって、
組織を通して電気外科手術用エネルギーを指向するステップと、
少なくとも１つの波長の光透過信号を上記組織内に指向するステップと、
上記光透過信号の強度を測定するステップと、
上記組織を通して透過される上記光透過信号の第１のスペクトル成分を測定し、上記第１のスペクトル成分に関する情報をプロセッサに提供するステップと、
上記光透過信号の強度が所定の検出限界を下回るまで、上記第１のスペクトル成分に関する提供された情報に基づいて、上記電気外科手術用エネルギーの送達を制御するステップと、
上記光透過信号の強度が上記所定の検出限界を下回った場合に、上記組織から反射される上記光透過信号の第２のスペクトル成分を測定し、上記第２のスペクトル成分に関する情報を上記プロセッサに提供するステップと、
上記第２のスペクトル成分に関する提供された情報に基づいて、上記電気外科手術用エネルギーの送達を制御するステップと
を包含する、方法。
（項目２０）
上記組織から反射される上記光透過信号の上記第２のスペクトル成分を測定するステップ後、上記光透過信号の強度が上記所定の検出限界を上回った場合に、上記プロセッサは、電気外科手術手技が完了するまで、上記第１のスペクトル成分に関する提供された情報に基づいて、上記電気外科手術用エネルギーの送達の制御を再開する、項目１９に記載の方法。
（項目２１）
上記初期測定ステップの所定の検出限界は、上記組織の水和レベルに比例する、項目１９に記載の方法。